(57)【要約】【課題】二次電池の残量と設定されている最低確保容量とを簡易に識別することができる蓄電システムを提供する。【解決手段】二次電池と、二次電池の状態を表示する表示装置とを備える蓄電システムにおいて、表示装置は、二次電池の残量を目盛りによって表示させる残量表示部と、二次電池の最低確保容量を設定することができる最低確保容量設定部と、設定された最低確保容量が、二次電池の残量を示す残量目盛りとは異なる色又は形状の最低確保容量目盛りによって、残量表示部に表示される前記電池表示装置とを備えることを特徴とする。【選択図】図１
2015126657.tif 000002
【特許請求の範囲】
【請求項１】
二次電池と、
前記二次電池の状態を表示する表示装置と、前記二次電池の最低確保容量を設定することができる最低確保容量設定部と、を備える蓄電システムにおいて、
前記表示装置は、
前記二次電池の残量を目盛りによって表示させる残量表示部と、
前記二次電池の最低確保容量を設定することができる最低確保容量設定部と、
設定された最低確保容量が、二次電池の残量を示す残量目盛りとは異なる色又は形状の最低確保容量目盛りによって、前記残量表示部に表示される前記表示装置とを備える。
【請求項２】
請求項１に記載の蓄電システムにおいて、
二次電池の残量が設定された最低確保容量を下回った場合、残量表示部の目盛りと設定された最低確保容量目盛りとを識別するイラストが表示される。
【発明の詳細な説明】
【技術分野】
【０００１】
本発明は、二次電池の最低確保容量を認識することができる表示装置及び蓄電システム。
【背景技術】
【０００２】
近年、系統電源を補助する目的として二次電池を備えた蓄電システムが開発されている。例えば、この蓄電システムは、系統電源を補助するため、負荷側に供給される。さらに、この蓄電システムは、系統電源からの供給が停止した非常時において、負荷側に電力を供給することを目的に使用される。したがって、蓄電システムは、系統電源を補助するために使用される電力以外に、非常時に負荷側に供給することができる一定の容量を確保する必要がある。ここで、この非常時に用いられる電池の容量を最低確保容量としている。
【０００３】
また、蓄電システムには、二次電池の状態や、二次電池の充放電の設定を行える表示装置を備えている。ユーザは、蓄電システムの表示装置において、この非常時に使用される最低確保容量を設定することができる。
【先行技術文献】
【特許文献】
【０００４】
【特許文献１】特開２００１‐１７７９９９
【特許文献２】特開２００３‐２３３４４３
【発明の概要】
【発明が解決しようとする課題】
【０００５】
従来の蓄電システムでは、図６に示すように、ユーザは、現在の最低確保容量を確認する際は、表示装置における最低確保容量の設定画面にアクセスする必要があった。そのため、ユーザは、図６のステップ１からステップ３までの操作が必要であった。また、図６に示す表示装置では、ユーザが現在の二次電池の残量と設定されている最低確保容量との関係を確認するこができないため、蓄電システムの放電可能容量を認識することができないという課題があった。
【課題を解決するための手段】
【０００６】
本発明の蓄電システムは、二次電池と、二次電池の状態を表示する表示装置とを備え、表示装置は、二次電池の残量を目盛りによって表示させる残量表示部と、二次電池の最低確保容量を設定することができる最低確保容量設定部と、設定された最低確保容量が、二次電池の残量を示す残量目盛りとは異なる色又は図柄又は大きさの最低確保容量目盛りによって、残量表示部に表示される表示装置とを備える。
【０００７】
本発明の蓄電システムは、二次電池の残量が設定された最低確保容量を下回った場合、残量表示部の目盛りと設定された最低確保容量目盛りとを識別するイラストが表示される。
【発明の効果】
【０００８】
本発明の蓄電システムでは、蓄電システムの設定状態や二次電池の残量の状態を容易に認識することができる。
【図面の簡単な説明】
【０００９】
【図１】本発明の第一の実施形態における一の状態の表示装置の画面を示した図である。
【図２】本発明の第一の実施形態における他の状態の表示装置の画面を示した図である。
【図３】本発明の第二の実施形態における表示装置の画面を示した図である。
【図４】本発明の第三の実施形態における表示装置の画面を示した図である。
【図５】本発明の第四の実施形態における表示装置の画面を示した図である。
【図６】従来例における表示装置の画面を示した図である。
【発明を実施するための形態】
【００１０】
以下、本発明の実施の形態を図面に基づいて説明する。ただし、以下に示す実施の形態は、本発明の技術思想を具体化するものであって、数値やレイアウトの形状等は、以下のものに特定しない。
【００１１】
本発明の実施の形態は、系統電源に接続される蓄電システムにおける二次電池の表示装置１に関する。蓄電システムは、産業施設、公共施設、商業施設、オフィスビル、住居などに設置される。電力会社とユーザとが最大消費電力別電気料金制度の契約を採用している場合、１日で最大となる３０分単位の消費電力量によって電気料金が決定される。したがって、最大消費電力が多いほど電気料金は、高額になるため、最大消費電力を低減することが電気料金の低減において重要である。
【００１２】
電力会社とユーザとが、時間帯における電気料金制度の契約を採用している場合、夜間の時間帯の電気料金は、昼間の時間帯の電気料金よりも安く設定されている。例えば、２３：００〜翌日の７：００までの電気料金が他の時間帯より安く設定される。従って夜間に系統電源から二次電池に充電し、二次電池に蓄えられた電力を昼間に使用することにより電気料金を抑えることができる。
【００１３】
このような蓄電システムの使用態様によって、最大消費電力の低減を行うことができ、電力会社は、電力使用量が平準化されることになる。このような蓄電システムの使用態様は、ピークカット対策と呼ばれている。
【００１４】
この蓄電システムは、負荷に電力を供給する二次電池と、この二次電池の直流電流を交流電流に変換し又は系統電源からの交流電流を直流電流に変換する双方向インバータと、太陽電池とで構成されている。太陽電池及び系統電源及び双方向インバータ及び負荷は、それぞれ交流配線によって接続されている。双方向インバータと二次電池とは直流配線によって接続されている。
【００１５】
この蓄電システムは、上述したピークカット対策以外に、系統電源が停電したとき、蓄えられた電力を負荷（例えば、電灯、エレベータ、コンピュータサーバなど）を動作させるためのバックアップ電源として用いられる。負荷は、系統電源の停電時にて、優先的に二次電池から電力供給を受けることができるように、予め設定された特定負荷とすることもできる。あるいは、負荷は、特定負荷以外を一般負荷とすることもできる。
【００１６】
この蓄電システムに用いられえる二次電池の容量は、例えば、２０ｋＷｈであり、主に高容量かつ高出力が得られるリチウムイオン電池が使用される。一般にリチウムイオン電池は充電容量の許容範囲の限界まで充電する満充電状態または許容範囲の限界まで放電する過放電状態に近い状態が継続すると、性能が劣化し寿命が短くなることが知られている。したがって、リチウムイオン電池の残量をこれら許容範囲以内に制御しなければならない。
【００１７】
この蓄電システムでは、ユーザが、日常のピークカット対策として利用される充放電可能容量と、系統電源からの供給が停止した非常時において、負荷側に電力を供給することを目的として使用される最低確保容量を設定することができる。例えば、本実施の形態で
は図示はしないが、ユーザは、充放電可能容量と最低確保容量の設定を二次電池の全容量に対する割合として表示装置１の画面上で行うことができる。
【００１８】
蓄電システムの充放電可能容量について、ユーザは、日常のピークカット対策として利用される充放電可能容量を、例えば５％〜７５％の範囲で設定することができる。充放電可能容量を最大の７５％とした場合、日中に使用される電力料金の低減をより効果的に行うことができる。
【００１９】
一方、蓄電システムの最低確保容量について、ユーザは、系統電源からの供給が停止した非常時において、負荷側に電力を供給することを目的として使用される最低確保容量を設定することができる。この最低確保容量設定部は、ユーザによって適宜変更することができる。例えば、最低確保容量が１９ｋＷ  ｈすなわち、二次電池の全容量の９５％の場合は、非常時におけるバックアップ電源としての容量を大きく確保することができる。
【００２０】
図１の表示装置１は、蓄電システムの構成要素である二次電池、太陽電池、系統電源、負荷、双方向インバータ、直流配線を模式的に図示した画面を提示している。図１の表示装置１では、蓄電システムを構成する要素がそれぞれ表示されている。二次電池の残量表示部２、太陽電池表示部３、双方向インバータ表示部４、系統電源表示部５、負荷表示部６、交流配線表示部７、直流配線表示部８が記載されており、これらの使用状態が表示装置１に表示される。太陽電池表示部３は、太陽電池の接続状態及び発電出力を表示する。双方向インバータ表示部４は、二次電池の直流電流を交流電流に変換し、系統電源からの交流電流を直流電流に変換する双方向インバータを表示する。
【００２１】
図１で示す表示装置１には、残量表示部２を含む画面が表示されている。この残量表示部２は、円筒電池の概形状で示されており、その中には１０段階の二次電池の容量を示す目盛り２１が備えられている。すなわち、電池の容量を示す目盛り２１の１つが、電池容量の１０％に対応している。残量表示部は、１０個の目盛り２１が一列に積層されている。ただし、残量表示部は、図１、図２、図３、図４で示される残量表部の形態に限らず、円周状や円弧状に沿うように目盛りを配置する形態であってもよい。
【００２２】
目盛り２１のうち灰色で示されている残量目盛り２２は、充放電可能容量として、日常のピークカット対策として使用される二次電池の容量を示している。また、目盛り２１のうち濃灰色で示されている最低確保容量目盛り２３は、系統電源からの供給が停止した非常時において、負荷側に電力を供給することを目的として、通常時に最低確保する二次電池の容量である。図１に示す灰色の残量目盛り２２と濃灰色の最低確保容量目盛り２３とを合わせた目盛り２１の合計が、電池残量の合計である。
【００２３】
図１に示すように、残量表示部２は、１０個の目盛り２１が積層されて表示されており、電池の残量に応じて最下段より順に残量目盛り２２が表示されている。最低確保容量目盛り２３は、設定された最低確保容量に応じて、目盛り２１の最下段より順に表示されている。よって、最低確保容量目盛り２３は、残量目盛り２２に重畳されて表示されている。
【００２４】
図１の表示装置１の残量表示部２では、灰色の残量目盛り２２が目盛り２１の５つとして表示されている。すなわち、系統電源からの供給が停止していない通常の状態においては、二次電池の放電可能な容量が全容量の５０％であることを示している。また、残量表示部２では、濃灰色の最低確保容量目盛り２３が目盛り２１の２つであることから、全容量の２０％すなわち４ｋＷｈが系統電源からの供給が停止した非常時において、負荷側に電力を供給することを目的として使用される二次電池の容量である。また、電池の全残量は、残量目盛り２２の５つと最低確保容量目盛り２３の２つを合わせた７つの目盛り２１
である。
【００２５】
図２に示された残量表示部２は、最低確保容量設定部によって、最低確保容量目盛り２３が３つの目盛り２１に設定されている。したがって、系統電源からの供給が停止した非常時において、負荷側に電力を供給することを目的として使用される二次電池の容量は、６ｋＷｈである。
【００２６】
図３で示された第二の実施の形態の残量表示部２において、残量目盛り２２は、灰色の一色刷りで示されているが、最低確保容量目盛り２３の背景は、複数の平行線による図柄で示されている。このように残量目盛り２２と最低確保容量目盛り２３とが異なる形状の態様とすることで、残量目盛り２２と最低確保容量目盛り２３とを識別することができる。また、第二の実施の形態における最低確保容量目盛り２３の背景は、複数の平行線によって表現されているが、この模様に決して限定されることはなく、それ以外の複数の斜線によるものや格子状の模様等の他の図柄を用いて、残量目盛り２２と区別しても良い。
【００２７】
図４で示された第三の実施の形態の残量目盛り２２は、灰色の一色刷りで示されている。一方、最低確保容量目盛り２３は、残量目盛り２２と同一の色の灰色の一色刷りで示されているが、最低確保容量目盛り２３は残量目盛り２２よりも外形が大きい矩形状の目盛り２１である。このように残量目盛り２２と最低確保容量目盛り２３の大きさを異なるようにして、残量目盛り２２と最低確保容量目盛り２３とを識別するようにして良い。
【００２８】
図示はしないが他の実施の形態として、残量目盛り２２と最低確保容量目盛り２３の大きさ及び形状を異なるようにしてもよい。さらに、最低確保容量目盛り２３の付近に線分や矢印等のイラストを設けることで、残量目盛り２２と識別させることもできる。
【００２９】
図１、図２、図３、図４で示されたるそれぞれの表示装置１は、設定された最低確保容量を二次電池の残量表示部において表示することで、別途最低確保容量目盛りを設ける必要がなく、ユーザが蓄電システムの放電可能容量を一目で認識することができる。また、表示装置のレイアウトの変更を行うことなく、容易に設定された最低確保容量を認識することができる。さらに残量目盛りと最低確保容量目盛りとが異なる色又は図柄又は大きさであるため、残量目盛りと最低確保容量目盛りとの識別を容易に行うことができる。
【００３０】
図１、図２、図３、図４で示されるそれぞれの表示装置１の下部には、メッセージ表示部９が設けられている。このメッセージ表示部９には、蓄電システムの各機能における状態の通知や注意喚起の通知、警告の通知等が掲示される。特に注意喚起を要するメッセージを掲示する場合は、通常時のメッセージ表示部９と比較し、メッセージ表示部９の背景色とメッセージ文との色の組み合わせを変化させるか又はメッセージ表示部９を拡大させることでユーザの注意を促すことができる。
【００３１】
この蓄電システムは、系統電源と連携している状態では、二次電池の残量が最低確保容量を下回ると、すぐに系統電源から電力が供給され、充電が開始される。そのため、残量表示部２の残量目盛り２２が最低確保容量目盛り２３を下回る状態が継続することがない。一方、系統電源からの供給が停止した停電時では、この蓄電システムは、負荷側に電力の供給を行うため放電を開始する。この停電時の放電量によって、二次電池の残量が最低確保容量を下回る場合がある。
【００３２】
図５で示すように、二次電池の残量が１０％となり、設定された最低確保容量の２０％を下回った状態のときは、最低確保容量目盛り２３とを識別するイラスト１０が表示される。図５の実施の形態では、設定された最低確保容量の上部に線分が表示され、ユーザが簡易に二次電池の残量が最低確保容量を下回っていることを容易に認識することができる
。
【００３３】
なお、蓄電システムの二次電池は、経年によって容量が劣化し、二次電池の満充電容量が減少するということがある。二次電池の満充電容量が劣化し減少した場合においても、蓄電システムの最低確保容量を一定の値に保つ場合は、適宜最低確保容量目盛り２３を満充電容量の比率に対応して変更する。
【００３４】
図５に示す実施の形態以外の形態として、図示はしないが、二次電池の残量が、設定された最低確保容量を下回った状態のとき、残量表示部２に表示される残量目盛り２２を二次電池の残量が最低確保容量を上回っている状態のときの残量目盛りと異なる色又は形状としてユーザが簡易に認識することができる。
【符号の説明】
【００３５】
１…表示装置
２…残量表示部
２１…目盛り
２２…残量目盛り
２３…最低確保容量目盛り
３…太陽電池表示部
４…双方向インバータ表示部
５…系統電源表示部
６…負荷表示部
７…交流配線表示部
８…直流配線表示部
９…メッセージ表示部
１０…イラスト
【図１】
2015126657.tif 000003
【図２】
2015126657.tif 000004
【図３】
2015126657.tif 000005
【図４】
2015126657.tif 000006
【図５】
2015126657.tif 000007
【図６】
2015126657.tif 000008